(57)【特許請求の範囲】
【請求項１】
平面方形状縁枠の内側に上下面が開口した複数の中空状支柱と散水管を垂直方向に配設し、前記中空状支柱と散水管とは縁枠と桁によって一体に連結してなり、前記散水管は中空構造であって、周面に複数の水噴射孔が穿設されていることを特徴とする雨水等の貯留浸透槽用充填材。
【請求項２】
平面方形状縁枠の内側に上下面が開口した複数の中空状支柱を垂直方向に配設し、前記中空状支柱を縁枠と桁によって一体に連結するとともに、前記縁枠及び／又は桁に別途成形した散水管を垂直方向に着脱自在に取り付けたことを特徴とする雨水等の貯留浸透槽用充填材。
【請求項３】
散水管は、充填材の中空状支柱と同じ長さ寸法に形成されていることを特徴とする請求項２に記載の雨水等の貯留浸透槽用充填材。
【請求項４】
地面を掘り下げて形成した貯水槽に充填材を縦横且つ上下に積み重ね、最上段の充填材の上面に被覆手段によって天井部が形成されている雨水等の貯留浸透槽であって、前記充填材は、平面方形状縁枠の内側に上下面が開口した複数の中空状支柱と散水管を垂直方向に配設し、前記中空状支柱と散水管とは縁枠と桁によって一体に連結してなり、前記散水管は中空構造であって、周面に複数の水噴射孔が穿設されていることを特徴とする雨水等の貯留浸透槽。
【請求項５】
地面を掘り下げて形成した貯水槽に充填材を縦横且つ上下に積み重ね、最上段の充填材の上面に被覆手段によって天井部が形成されている雨水等の貯留浸透槽であって、前記充填材は、平面方形状縁枠の内側に上下面が開口した複数の中空状支柱を垂直方向に配設し、前記中空状支柱を縁枠と桁によって一体に連結するとともに、前記縁枠及び／又は桁に別途成形した散水管を垂直方向に着脱自在に取り付けたことを特徴とする雨水等の貯留浸透槽。
【発明の詳細な説明】
【技術分野】
【０００１】
この発明は、雨水等の貯留浸透槽に用いる充填材及び該充填材を用いてなり、上面が被覆手段によって天井部を形成してなる雨水等の貯留浸透槽に係り、詳しくは、槽内の堆積物を容易に除去することができ、メンテナンスの容易な雨水等の貯留浸透槽用充填材及び該充填材を用いてなる雨水等の貯留浸透槽に関する。
【背景技術】
【０００２】
従来、駐車場、公園、住宅、工場の敷地などの地下を利用して雨水等の貯留浸透槽を施工することが行われている。これらの雨水等の貯留浸透槽は、都市部での家屋の浸水や河川の氾濫を防止するために、あるいは、水不足対策として水溜用空間施設として施工されるものであり、雨水等を一定時間貯留した後、河川等に順次放流したり、積極的に地下に浸透させることにより、雨水等による河川の氾濫、家屋の浸水による災害を防止する。さらには、雨水等の貯留浸透槽は、貯留した雨水等を汲み上げて利用するために用いられる。
【０００３】
このような雨水等の貯留浸透槽は、充填材を充填することによって水溜用空間を形成している。即ち、地面を掘り下げて形成した貯水槽の内部に充填材を縦横に並べると共に、上下に積み重ねて充填し、貯水用の空隙を形成する。
【０００４】
充填材を充填して形成した雨水等の貯留浸透槽は、長期間使用すると流入した泥、砂、ごみ等が堆積し、槽内を汚すばかりでなく、貯水用の空間を減少させ、雨水等の貯留効率を低下させることになる。そこで、これらの堆積物を取り除くために、貯水槽の底面に堆積物を排出する溝を形成し、充填材の支柱間に多数の水噴射孔を有する散水管を水平方向に配設した雨水貯留装置が提案されている。
【特許文献１】特開２０００−１６０６０６号公報（図２及び要約）
【発明の開示】
【発明が解決しようとする課題】
【０００５】
上記公報記載の雨水貯留装置は、上下に積み重ねて充填した充填材の支柱の間に、多数の水噴射孔を有する散水管を水平に配設し、前記散水管をマンホール内で給水管に一体に連結してなる。このように、槽内に充填した充填体の間に散水管を水平に配設することは、散水管を支柱間に通したり固定する作業に手間がかかり、作業性が悪いという問題がある。
【０００６】
また、散水管を水平に通すためには、充填材の支柱は、充填した充填材間に同一方向に散水管を通すための空隙を形成できる構造でなければならないという問題がある。
この発明は、かかる現況に鑑みてなされたもので、施工が容易であるとともに、槽内の堆積物を簡単に取り除き、容易にメンテナンスを行うことができる雨水等の貯留浸透槽用充填材及び該充填材を用いてなる雨水等の貯留浸透槽を提供するものである。  
【課題を解決するための手段】
【０００７】
この発明は上記目的を達成するために次のような構成とした。即ち、この発明に係る雨水等の貯留浸透槽用充填材は、平面方形状縁枠の内側に上下面が開口した複数の中空状支柱と散水管を垂直方向に配設し、前記中空状支柱と散水管とは縁枠と桁によって一体に連結してなり、前記散水管は中空構造であって、周面に複数の水噴射孔が穿設されていることを特徴とする。また、この発明に係る雨水等の貯留浸透槽用充填材は、平面方形状縁枠の内側に上下面が開口した複数の中空状支柱を垂直方向に配設し、前記中空状支柱を縁枠と桁によって一体に連結するとともに、前記縁枠及び／又は桁に別途成形した散水管を垂直方向に着脱自在に取り付ける構成であってもよい。前記成形する散水管は、充填材の中空状支柱と同じ長さ寸法に形成してもよい。
【０００８】
この発明に係る雨水等の貯留浸透槽は、地面を掘り下げて形成した貯水槽に充填材を縦横且つ上下に積み重ね、最上段の充填材の上面に被覆手段によって天井部が形成されている雨水等の貯留浸透槽であって、前記充填材は、平面方形状縁枠の内側に上下面が開口した複数の中空状支柱と散水管を垂直方向に配設し、前記中空状支柱と散水管とは縁枠と桁によって一体に連結してなり、前記散水管は中空構造であって、周面に複数の水噴射孔が穿設されていることを特徴とする。また、充填材は、平面方形状縁枠の内側に上下面が開口した複数の中空状支柱を垂直方向に配設し、前記中空状支柱を縁枠と桁によって一体に連結するとともに、前記縁枠及び／又は桁に別途成形した散水管を垂直方向に着脱自在に取り付ける構成としてもよい。
【発明の効果】
【０００９】
充填材の積み重ねと同時に散水管も配管することができ、施工が容易であり、効率よく作業することができる。また、散水管の水噴射孔を一定の方向に向けることによって、堆積物を一ヶ所に集めることができ、堆積物を効率よく取り除くことができる。さらに、槽内に点検等のために作業者が入る前に散水することによって、槽の下部に溜まったガス等を容易に換気することができる。
【発明を実施するための最良の形態】
【００１０】
以下に、図示する実施形態について詳細に説明する。まず、この発明に係る雨水等の貯留浸透槽用充填材について説明する。図１〜３は、この発明に係る充填材の第１実施形態を示し、充填材１は、上下面が開口した複数の中空状支柱２と散水管３を所定の間隔に配設して、前記中空状支柱２と散水管３の上部同士を連結材である桁５と方形状の縁枠７で一体に連結してなる。前記連結材である桁５は、縁枠７に対して斜め方向に設けられており、外周側の中空状支柱を連結する縁枠７と略同じ高さ位置に設けられている。
【００１１】
即ち、前記中空状支柱２のうち外周側に位置する中空状支柱２を、前記桁５とほぼ同じ高さ位置の平面方形状縁枠７で連結したものである。そして、前記桁５は、縁枠７の側面に対して斜め方向に設けられており、図１に示すように、平面において菱形を形成している。
【００１２】
前記散水管３は、中空状支柱２と同じ中空構造体に形成されており、下部に水噴射孔９が穿設されている。散水管３は、中空状支柱２を散水管として使用するように形成されている。この図示する実施形態では、水噴射孔９以外の構成については中空状支柱２と同一に形成されている。従って、以下の散水管３の説明については、中空状支柱２と同一符号を付してその説明は省略する。
【００１３】
前記中空状支柱２は、筒形パイプ１０の上下面を開口し、内部には補強リブ１１を設けて形成されている。前記補強リブ１１は、内周面において対向する平行リブを上部において井桁状に組合せて連結してなる。前記中空状支柱２のうち、枠５から上方に突出した突出部２ａは、外形が下端部より小径に形成されており、積み重ねたとき上段の中空状支柱２の下面開口に嵌合するように形成されている(図４参照)。
【００１４】
このように、中空状支柱２を内面に補強リブ１１を設けた筒形パイプ１０により形成することにより、強度を増大することができる。尚、前記補強リブ１１は、任意の形状に変更することが可能であり、また適宜省略してもよい。前記桁５は、底面を開口させ上面が閉じた断面コ字状に形成されており、内部に補強リブ１３を設けてなる。
【００１５】
また、前記縁枠７は、前記桁５とほぼ同様の構造であって、下面が開口した二重壁構造体であり、内部に補強リブ１５を設け、前記中空状支柱２とは四隅の突出部１７とその中間の突出部１８によって連結されている。前記縁枠７は、外側に位置する中空状支柱２の一方を連結するとともに、充填体同士を並列させたとき相互に密接するように外側面は平面をなさしている。
【００１６】
尚、前記中空状支柱２、散水管３と桁５及び縁枠７との連結位置は、前記中空状支柱２、散水管３の上部に限定されるものではなく、また、桁５の構造も前記実施形態の他、板体を平行に設けて上下を開口させリブで連結した構造であってもよく、その他一枚板など任意の構造体とすることができる。
【００１７】
図５及び図６は、この発明に係る充填材の第２実施形態を示し、充填材２０は、平面方形状の縁枠２１の内面に上下面が開口した複数の中空状支柱２３を所定間隔に連結し、中央部に配設した散水管２５を縦横及び斜めの桁２６で連結してなる。前記中空状支柱２３は、筒形パイプ２３ａの下部を縮径して小径部２３ｂとしている。前記構成の中空状支柱２３は、積み重ねたとき上段の中空状支柱２３の小径部２３ｂが下段の中空状支柱２３の上面開口に嵌合する。
【００１８】
前記筒形パイプ２３ａの内部には、補強リブ２３ｃを設けてなる。補強リブ２３ｃは、図５及び図６に示すように、筒形パイプ２３ａの内面に十字状に対向させるとともに、上部において連結してなる。尚、補強リブ２３ｃは、省略することが可能であるとともに、第１実施形態の補強リブ１１に変更してもよい。
【００１９】
散水管２５は、中空状支柱２３と同一の中空構造体に構成されており、筒形パイプ２３ａの下部に水噴射孔２７が穿設されている点のみが異なる。従って、同一構成については、中空状支柱２３の符号を付してその説明は省略する。
【００２０】
この第２実施形態においては、充填材２０を水平方向において一体に連結する入れ子方式の係合部２４が設けられている。係合部２４は、断面コ字状縁枠２１の一方の側面にＴ字型突起２４ａを設け、対向する側面に前記Ｔ字型突起２４ａが嵌合可能なＴ字型溝２４ｂを設けてなる。前記Ｔ字型溝２４ｂに水平方向において隣接する充填材２０のＴ字型突起２４ａを上方から挿入することによって一体に連結することができる。
【００２１】
尚、充填材を水平方向において一体に連結する際の縁枠の構造は、上記実施形態に限定されるものではなく、第１実施形態のように平滑な平面に形成し連結具を用いて連結してもよく、他の公知の構造に変更することができる。
【００２２】
上記第１実施形態及び第２実施形態における散水管３，２５は、いずれも中空状支柱２，２３と同一の筒形パイプに水噴射孔９、２７を穿設したものによって形成したが、中空状支柱とは、内径を変更したり、水噴射孔の位置を上方に変更したりすることは可能である。
【００２３】
また、中空状支柱２，２３及び散水管３，２５は、上記実施形態の形状に限定されるものではなく、上下開口部の寸法が同じストレート管であってもよく、また、下方に向かって次第に窄まった形状であってもよい。このように、互いに上下を嵌合させて積み重ねることができない形状の支柱及び散水管とした場合には、アダプターを介して積み重ねるようにすればよい。
【００２４】
次に、別途形成した散水管を着脱自在に取り付けてなる充填材の実施形態について説明する。上記実施形態では、中空状支柱と散水管とを桁と縁枠により一体に形成した構成について説明したが、実施形態３以下の充填材は、散水管を別途成形し、この散水管を着脱自在に取り付けてなる。図７及び図８に示す充填材３０は、図１に示す充填材とほぼ同じ構成であり、充填材１の散水管３を中空状支柱２とした充填材１Ａに、別途形成してなる散水管３１を固定具３２で着脱自在に取り付けてなる。
【００２５】
従って、充填材１Ａの構成については、充填材１と同一符号を付してその説明は省略する。散水管３１は、図９（ａ）及び（ｂ）に示すように、中空状の筒形パイプ３１ａに水噴射孔３１ｂを穿設してなる。前記筒形パイプ３１ａは、充填材１Ａの中空状支柱と同じ長さ寸法であり、下端部を縮径して小径部３１ｃとしている。
【００２６】
前記散水管３１は、積み重ねたとき上段の筒形パイプ３１ａの小径部３１ｃが下段の筒形パイプ３１ａの上面開口に嵌合する。散水管３１の長さは中空状支柱２と同じ寸法とすることができ、充填材１Ａの積み重ねと同時に桁５内に配設して順次積み重ねていけばよい。
【００２７】
また、図９（ｂ）は、他の実施形態の散水管３１Ａを示し、上下の内径寸法が同一のストレート管であって、散水管３１よりも長く数倍の長さに形成されている。このように、散水管３１Ａを数倍の長さに形成することによって、それだけ散水管を連結する手間が省け、施工が容易になる。前記散水管３１Ａにおける水噴射孔３１ｂは、適宜の位置にランダムに形成してもよいが、水噴射孔３１ｂの上下方向における間隔Ｌを積み重ねた充填材のそれぞれの中間に位置するように形成してもよい。
【００２８】
前記固定具３２は、図１０に示すように、線材の中央部に巻きつけてなる円環部３２ａを設け、ほぼ水平に延ばした両先端部を折り曲げて係止部３２ｂとしたものである。
前記固定具３２は、前記円環部３２ａに散水管３１を挿入し、先端部の係止部３２ｂを桁５に係止することができるように形成されている。
【００２９】
散水管３１Ａのようなストレート管を積み重ねる場合には、図１１に示すようなアダプター３５，３５Ａを使用すればよい。図１１(ａ)に示すアダプター３５は、散水管３１Ａ，３１Ａ内に挿入される外径寸法に形成されており、外周面にフランジ３５ａが設けられている。また、図１１(ｂ)に示すアダプター３５Ａは、散水管３１Ａ，３１Ａを挿入する内径寸法に形成されており、内周面に内向きフランジ３５ｂが設けられている。
【００３０】
前記アダプター３５は、上下端の径寸法を同一に形成したストレート形状の中空状支柱の大きさに合わせて形成することにより、充填材を積み重ねて中空状支柱を連結する際にも、同一形状のものを使用することができる。
【００３１】
図１２に示す充填材２０Ａは、図５に示す充填材とほぼ同じ構成であり、充填材２０の散水管２５を中空状支柱２３とし、別途形成してなる散水管３１を固定具３８で着脱自在に取り付けてなる。従って、充填材２０Ａの構成については、充填材２０と同一符号を付してその説明は省略する。
【００３２】
散水管３１，３１Ａは、その構成については、図９（ａ）及び（ｂ）によりすでに説明した。前記固定具３８は、図１３に示すように、線材の中央部に巻きつけてなる円環部３８ａを設け、前記円環部３８ａの面に対して直角方向に立ち上げた両先端部を折り曲げて係止部３８ｂとしたものである。前記円環部３８ａに散水管３１、３１Ａを挿入し、先端部の係止部３８ｂを桁２６に係止することによって着脱自在に取り付けられる。固定具３８に代えて固定具３２を使用することができるのは勿論である。また、充填材１，２０のように、散水管と中空状支柱とを縁枠と桁により一体に連結した場合には、散水管は支柱としても機能することになり、それだけ充填材の耐荷重性を向上させることができる。
【００３３】
次に、上記実施形態の充填材を使用した雨水等の貯留浸透槽について説明する。一実施形態に係る雨水貯留槽は、雨水等を利用可能に貯留するように公園などの地下に構築される。まず、図１４に示すように、地面を掘り下げて貯水槽４０を形成し、その底面には砂、泥、ごみ等の堆積物を排出する十字状の溝４１を設けている。溝４１は、断面Ｕ字状に形成されており、交差部４２に向かって次第に深くなるように溝底に勾配が付けられている。前記交差部４２には、溝４１から排出される堆積物を溜めるピット４３が形成されており、このピット４３の上方にマンホール４５が形成されている。
【００３４】
前記溝４１の上面には、交差部４２の部分を除いて蓋４６が嵌着されている。蓋４６は、細かいスノコ状のものに限らず、堆積物が透過可能なものであればよく、メッシュや多孔体であってもよい。また、マンホール４５内には、ピット４３に溜まった堆積物を排出するための排出管４７が設けられている。
【００３５】
このようにして形成した貯水槽４０内に充填材１，２０を縦横に並べ、その上に段積みする。充填材１，２０は、中空状支柱と散水管とが縁枠７、２１と桁５、２６によって一体に形成されているから、中空状支柱と散水管とは段積みと同時に連結されることになり、容易に施工することができる。
【００３６】
充填材１，２０を充填した後、最上段に積み重ねられた各充填体１，２０の上面には、被覆手段によって貯水槽の天井部を構成するための蓋体４８が載置されて敷き詰められると同時に、連結された最上段の散水管に前記蓋体４８を通して給水管４９が取り付けられる。敷き詰められた各蓋体４８の上面には透水性シート５０が敷設され、その上には礫層５１および土層５２が順次施工されており、これらで貯留槽の天井部が構成されている。
【００３７】
そして、この天井部５３の上面とマンホール４５の上面とが同一面に形成されており、マンホール４５の上面には開閉蓋４５ａが取り付けられている。なお、マンホール４５は貯留槽４０の中央部に設けることなく、貯水槽の周壁部に設けても良い。  また、図示するのを省略したが、貯水槽４０には、地上の側溝や排水溝から雨水を貯留槽４０に導入する導入管や、オーバーフロー用排水溝等を設けることができる。
【００３８】
上記構成の貯水槽４０においては、長期間の使用により充填材に堆積した堆積物を取り除くことが必要になった場合には、まず、貯水槽４０内の雨水をくみ上げて空にし、給水管４９から給水することによって散水管３、３１の水噴射孔から水を噴射して充填材を洗浄する。洗浄によって堆積物は貯水槽底面の溝４１に流れ込み、ピット４３に溜められる。  ピット４３に溜められた堆積物は、排出管４７を介してバキュームポンプによって吸引され、取り除かれる。
【００３９】
上記のように、散水管は充填材の充填と同時に連結することができ、散水管の水噴射孔を外周面全体又は一定方向に穿設することによって、充填材の洗浄のために効率よく水を噴射させることができ、堆積物の除去によるメンテナンスが容易である。
【００４０】
図１５は、貯水槽内に充填した充填材と散水管との関係を示す一部拡大説明図であって、充填材とは別途形成した散水管を用いた雨水等の貯留浸透槽の実施形態を示す。即ち、充填材には、図７に示す充填材１Ａ又は図１２に示す充填材２０Ａを用い、雨水等の貯留浸透槽内に前記充填材を充填する際に、充填材の桁内に通して散水管３１又は散水管３１Ａを槽底面から所定の高さまで垂直方向に連結し、連結した最上段の散水管３１又は散水管３１Ａの開口部に給水管５０を取り付けたものである。散水管３１又は散水管３１Ａに給水管５０を取り付けるには、図示する実施形態のようにアダプター５１を用いるなど、公知の方法により取り付けることができる。
【００４１】
図１５に示す実施形態のように、段積みした途中の段の充填材の間に給水管５０を配設した場合には、施工が容易であるとともに、散水管を効率よく配置することができる。  
【図面の簡単な説明】
【００４２】
【図１】この発明の第１実施形態の充填材の上半分が平面図、下半分が底面図である。
【図２】同じく正面図である。
【図３】第１実施形態の充填材における散水管の一部を切り欠いた斜視図である。
【図４】同じく散水管の連結を示す断面図である。
【図５】第２実施形態の充填体を示す一部を切り欠いた斜視図である。
【図６】同じく散水管の連結を示す断面図である。
【図７】第３実施形態の充填材の上半分が平面図、下半分が底面図である。
【図８】同じく正面図である。
【図９】第３実施形態における充填体に用いる別途形成した散水管の斜視図であって、図９(ａ）は充填材と同じ高さの散水管、図９(ｂ)は、充填材の数倍の長さの散水管である。
【図１０】散水管を取り付ける固定具の斜視図である。
【図１１】散水管を連結するアダプターの断面図であって、図１１（ａ）は内装用アダプターであり、図１１(ｂ)は、外装用アダプターである。
【図１２】第４実施形態の充填体を示す一部を切り欠いた斜視図である。
【図１３】散水管を取り付ける固定具の斜視図である。
【図１４】雨水等の貯留槽の断面図である。
【図１５】雨水等の貯留浸透槽に充填した充填材と散水管の連結構造を示す一部を切り欠いた要部正面図である。
【符号の説明】
【００４３】
１：充填材
２：中空状支柱
２ａ：突出部
２ｂ：補強リブ
３：散水管
５：桁
７：縁枠  
９：水噴射孔
１０：筒形パイプ   
１１：補強リブ  
１５：補強リブ
１７：突出部  
１８：突出部
２０：充填材  
２１：縁枠  
２３：中空状支柱
２３ａ：筒形パイプ  
２３ｂ：小径部
２５：散水管  
２６：桁  
２７：水噴射孔
３０：充填材  
３１：散水管  
３１ｂ：水噴射孔
３２：固定具
３５，３５Ａ：アダプター
３７：充填材
３８：固定具
４０：貯水槽  
４１：溝  
４２：交差部
４３：ピット  
４５：マンホール  
４７：排出管
４９：給水管
【図１】
0004582591.tif 000002
【図２】
0004582591.tif 000003
【図３】
0004582591.tif 000004
【図４】
0004582591.tif 000005
【図５】
0004582591.tif 000006
【図６】
0004582591.tif 000007
【図７】
0004582591.tif 000008
【図８】
0004582591.tif 000009
【図９】
0004582591.tif 000010
【図１０】
0004582591.tif 000011
【図１１】
0004582591.tif 000012
【図１２】
0004582591.tif 000013
【図１３】
0004582591.tif 000014
【図１４】
0004582591.tif 000015
【図１５】
0004582591.tif 000016